(57)【要約】【課題】魚釣用バッテリと電動リールの接続部の形式が適合しない場合でも接続して使用できるようにするバッテリ支持用コネクタ装置と魚釣用バッテリを提供することを目的とする。【解決手段】一端側で釣り用電動リール１ｂの受電部２１に接続する端子を支持し、他端側でバッテリ２ａの給電部２０に接続する端子を支持したコネクタ本体４２に、上記釣り用電動リール１ｂへの着脱が自在なナット部材４６と、上記バッテリ２ａへの着脱が自在な螺子部２２１ａを設けたバッテリ支持用コネクタ装置である。【選択図】図５
2007135517.tif 000002
【特許請求の範囲】
【請求項１】
一端側で釣り用電動リールの受電部に接続する端子を支持し、他端側でバッテリの給電部に接続する端子を支持した基体に、上記釣り用電動リールへの着脱が自在な取り付け手段と、上記バッテリへの着脱が自在な取り付け手段を設けたことを特徴とするバッテリ支持用コネクタ装置。
【請求項２】
釣り用電動リールへの取り付け手段とバッテリへの取り付け手段の少なくとも一方が、基体に回動可能に支持され、上記釣り用電動リールまたは上記バッテリに設けられた螺子部に螺合して取り付けられるナット部材を含むことを特徴とする請求項１に記載のバッテリ支持用コネクタ装置。
【請求項３】
釣り用電動リールへの取り付け手段とバッテリへの取り付け手段の少なくとも一方が、基体に取り付けられ、上記釣り用電動リールまたは上記バッテリに設けられた螺子部に螺合する螺子部を有した筒状部材を含むことを特徴とする請求項１または請求項２に記載のバッテリ支持用コネクタ装置。
【請求項４】
釣り用電動リールへの取り付け手段とバッテリへの取り付け手段の何れか一方がナット部材であり、他方のものが螺子部を有する筒状部材であり、上記ナット部材は、上記筒状部材と、上記端子を支持する基体に形成した突起係合部との間に抜け止めされる突縁部を有していることを特徴とする請求項１乃至請求項３のいずれかに記載のバッテリ支持用コネクタ装置。
【請求項５】
釣り用電動リールに接続する端子とバッテリに接続する端子は一体の部材により形成されていることを特徴とする請求項１乃至請求項４のいずれかに記載のバッテリ支持用コネクタ装置。
【請求項６】
釣り用電動リールに接続する端子の部材と、バッテリに接続する端子の部材は、導通する部材同士が基体内で互いに接続され、かつ基体に固定されていることを特徴とする請求項１乃至請求項４のいずれかに記載のバッテリ支持用コネクタ装置。
【請求項７】
釣り用電動リールの受電部に対し着脱自在に接続する端子を基体の一端側に設け、上記基体の他端側にバッテリの給電部に対して接続する端子を設けた接続コネクタが、着脱可能に取り付けられたことを特徴とする魚釣用バッテリ。
【請求項８】
接続コネクタを嵌め込み装着する凹部を有していることを特徴とする請求項７に記載の魚釣用バッテリ。
【請求項９】
凹部に接続コネクタの一端側部分を嵌合したときに上記接続コネクタの他端側部分が、上記凹部から突き出すことを特徴とする請求項８に記載の魚釣用バッテリ。
【請求項１０】
一端側に釣り用電動リールの受電部に接続する端子を設け、他端側にバッテリの給電部に接続する端子を設けた基体を、釣り用電動リールに対しバッテリを着脱自在に取り付けるバッテリ支持装置内に嵌め込み配置することを特徴とするバッテリ支持用コネクタ装置。
【発明の詳細な説明】
【技術分野】
【０００１】
本発明は、例えば釣糸が巻回されるスプールを回転駆動する駆動用モータを備えた魚釣用電動リールに給電するために用いられる魚釣用バッテリを魚釣用電動リールに接続するバッテリ支持用コネクタ装置と魚釣用バッテリに関する。
【背景技術】
【０００２】
最近、船釣等の深場あるいは沖合での釣りにおいては、釣糸が巻回されるスプールを駆動用モータで駆動する、いわゆる電動リールが多く使用されている。このような電動リールのスプール駆動用モータに給電する手段としてはバッテリ装置を釣り位置から離れた場所に設置し、スプール駆動用モータが内蔵されたリール本体に設けた給電接続部に対して長い給電コードを接続して給電する方式が知られている（例えば、特許文献１参照）。
【０００３】
ところが、このような長い給電コードを用いて、魚釣用リールと、これから遠く離れたバッテリ装置を接続する場合は、長い給電コード自体が邪魔になる存在であることに加え、魚の当たりを待ち、あるいは誘い操作や魚の取込み操作の際、その長い給電コードで釣竿の動きが制約され、魚の誘い操作や魚の取込み操作等を思い通りに行うことができず、操作性が劣るという不都合があった。
【０００４】
そこで、電動リールのスプール駆動用モータに給電する手段として、電動リールと一対一の関係を有する専用のバッテリボックスを釣竿に装着し、長い給電コードを用いない方式としたものも提案されている（例えば、特許文献２参照）。この給電手段は、そのバッテリボックスに接続端子を兼用する金属製ボルトを回転操作自在に設け、他方の電動リールにはその竿尻側に位置して、スプール駆動用モータに電気的に接続される接続端子を兼用する螺子孔を設け、この螺子孔に対して上記バッテリボックスのボルトを螺合させることで、相互間の電気的な接続と共に相互間の取付け固定を行うように構成される。
【特許文献１】特開平１０−２１５７３７号公報
【特許文献２】実願平１−１３８３５６号（実開平３−７６４６５号）のマイクロフィルム
【発明の開示】
【発明が解決しようとする課題】
【０００５】
上記電動リールへの給電手段では、バッテリボックスを、接続端子を兼用する金属製ボルトにより、電動リールの螺子孔に螺合させて取付け固定すると同時に電気的接続を行う構成であるため、バッテリボックスを釣竿に取付け固定する形式や電動リールの螺子孔にボルトを螺合させるバッテリボックスと電動リールの接続形式が異なると、電動リールとバッテリボックスを接続することが出来なかった。
【０００６】
本発明は、上記の事情に鑑みてなされたもので、魚釣用バッテリと電動リールの接続部の形式が適合しない場合でも接続して使用できるようにするバッテリ支持用コネクタ装置と魚釣用バッテリを提供することを目的とする。
【課題を解決するための手段】
【０００７】
本発明は、一端側で釣り用電動リールの受電部に接続する端子を支持し、他端側でバッテリの給電部に接続する端子を支持した基体に、上記釣り用電動リールへの着脱が自在な取り付け手段と、上記バッテリへの着脱が自在な取り付け手段を設けたことを特徴とするバッテリ支持用コネクタ装置である。
【０００８】
他の発明は、釣り用電動リールの受電部に対し着脱自在に接続する端子を基体の一端側に設け、上記基体の他端側にバッテリの給電部に対して接続する端子を設けた接続コネクタが、着脱可能に取り付けられたことを特徴とする魚釣用バッテリである。
【０００９】
さらに他の発明は、一端側に釣り用電動リールの受電部に接続する端子を設け、他端側にバッテリの給電部に接続する端子を設けた基体を、釣り用電動リールに対しバッテリを着脱自在に取り付けるバッテリ支持装置内に嵌め込み配置することを特徴とするバッテリ支持用コネクタ装置である。
【発明の効果】
【００１０】
本発明によれば、魚釣用バッテリと魚釣用電動リールの接続部の形式が適合しない場合でも魚釣用電動リールへの魚釣用バッテリを取り付けて使用できる。また、給電コネクタや取り付け手段の形式が異なる電動リールでも魚釣用バッテリを取り付けて使用することが可能となる。
【００１１】
また、組み付け手段により、魚釣用リールに対してバッテリを支持することにより、バッテリを魚釣用リールへの確実な電気的接続を確保した上で、電動リールに対してバッテリを堅牢に組み付けて保持することが可能となる。従って、厳しい釣環境においても、簡便にして容易な着脱操作が実現され、しかも、比較的、乱暴な竿操作にも耐えることが可能となる。
【発明を実施するための最良の形態】
【００１２】
以下、本発明の実施の形態について、図面を参照して詳細に説明する。但し、各実施の形態における説明では、略同様に構成されることがあるので、便宜上、その構成に関して同一符号を付して、その詳細な説明を省略することがある。
【００１３】
図１乃至図５は第１の実施の形態に係る魚釣用リールのバッテリ支持用コネクタ装置と魚釣用バッテリを示す。  
図１は、魚釣用電動リール１ａと、この魚釣用電動リール１ａに接続されるべき魚釣用バッテリ２ａを、両者を切り離した状態で示している。魚釣用バッテリ２ａはケース本体１０を備え、このケース本体１０は合成樹脂等で形成されて後述する電池本体を収容する収容部１１と、この収容部１１の上方に形成されてその収容部１１の開口を閉塞する蓋部１２とからなる。上記収容部１１は例えばリチウムイオン電池等の電池本体１３及び充放電用制御部１４を収容する。また、蓋部１２は収容部１１の上方端に被せられ、収容部１１の上方端縁に接着剤等により接合されて収容部１１に一体化している。
【００１４】
この魚釣用バッテリ２ａは、例えば、図１に示す電動リール１ａの例えば前方の下部に配される外部電源接続用の受電部２１に対して、例えば船の電力源、発電機または大型バッテリ等の外部電源から延びる周知の給電コードに代えて装着され、該電動リール１ａへの給電を実行し、該電動リール１ａに内蔵されたスプール駆動モータ等を駆動する。
【００１５】
上記蓋部１２には、図５に拡大して示すように、上下に貫通する取付け穴部１２１が設けられ、この取付け穴部１２１は上記魚釣用バッテリ２ａの重心Ｇから遠ざかる上方へ突き出す筒状部１２３の内面によって形成されている。この取付け穴部１２１の上端には開口１２４が開口している。
【００１６】
また、この取付け穴部１２１の内部には上記制御部１４及び電池本体１３に対して電気的に接続される給電部用コネクタ部材１５の基端側部分が密に差し込まれている。給電用コネクタ部材１５はパッキン部材１７を介して上記取付け穴部１２１に封止されると共に接着剤で筒状部１２３に固定されている。筒状部１２３の基端部にはこれと一体的に形成されると共にその中心向きに突き出した突起部１６が設けられている。突起部１６は筒状部１２３を切り欠くことによって形成した溝１２５によって弾性を付与された複数の弾性変形部１２７の先端に一体に形成されている。各弾性変形部１２７は側方に向けて弾性的に変形できるため、突起部１６を給電用コネクタ部材１５の内方下端部外周に形成された凹状部１５３に嵌め込み係着し、両者の離脱を防止することができる。給電用コネクタ部材１５が取付け穴部１２１の開口１２４から外へ抜け出すことを阻止している。給電用コネクタ部材１５の上端側部分は上記重心Ｇから遠ざかる上方へ向けて、取付け穴部１２１の開口１２４から外へ突き出している。
【００１７】
上記給電用コネクタ部材１５は、ケース本体１０より柔らかい可撓性を有した電気的絶縁性の樹脂材料で形成される。コネクタ部材１５は上端部内に一対の凹状接続端子１５１を配設することにより、いわゆるソケット型コンセントを構成した給電部２０が構成されている。この給電部２０の凹状接続端子１５１は上記電池本体１３及び充放電用制御部１４に電気的に接続されている。
【００１８】
給電用コネクタ部材１５の下端側部分はケース本体１０の内側面に液密状態で接着により固定的に取り付けられるとともに、給電用コネクタ部材１５の先端側部分はケース本体１０の開口１２４から直接ケース本体１０の外へ突き出し、上記給電部２０の凹状接続端子１５１を露出させる。このため、上記電動リール１ｂの受電部２１への給電部２０の着脱操作を行うことが可能である。
【００１９】
図１に示すように、上記蓋部１２の筒状部１２３の外周部には例えば電気的絶縁性を有する樹脂材料で形成される弾性腕部１８の一端が取り付けられ、この弾性腕部１８の他端には上記給電用コネクタ部材１５の先端部分に被嵌して覆うことができる電気的絶縁性の保護キャップ１８１が取り付けられている。そして、ケース本体１０の給電用コネクタ部材１５を電動リール１ａの受電部２１から離脱させた状態ではこの保護キャップ１８１を上記給電用コネクタ部材１５の先端部分に被せることができる。これにより、例えば携帯時等において露出された給電用コネクタ部材１５の凹状接続端子１５１の周囲部との電気的接続が防止できる。
【００２０】
さらに、図１及び図５に示すように、ケース本体１０には電動リール１ａに魚釣用バッテリ２ａを装着した時、この魚釣用バッテリ２ａが電動リール１ａから簡単に外れないように保持するための保持手段としてナット部材１９が設けられている。このナット部材１９は給電用コネクタ部材１５とは別体に構成され、図５に示すように、給電用コネクタ部材１５を取り囲むように配置される。上記筒状部１２３の取付け穴部１２１における上端部分は、ナット部材１９の下端部を嵌め込むために太めに形成してなるナット装着穴１２１ａを形成しており、このナット装着穴１２１ａの部分に対して上記ナット部材１９の下端部の少なくとも一部（下端部側壁１９４）が差し込まれ、この状態でナット部材１９は上記筒状部１２３及び給電用コネクタ部材１５の中心軸まわりに回転可能に嵌合されている。
【００２１】
上記ナット部材１９の最下端縁部には内方へ突き出して周回した内周突縁部１９１が形成されている。一方、給電用コネクタ部材１５の中途部外周にはその全周にわたり周回する突起係合部１５２が形成されている。突起係合部１５２に対して上記ナット部材１９の突縁部１９１がその下側から当たって係止し、給電用コネクタ部材１５からナット部材１９が抜け出ないように阻止する。ナット部材１９の上方外端部には太めに鍔状の操作部１９２が設けられていて、この操作部１９２を用いてナット部材１９を回転操作できるようになっている。
【００２２】
一方、図１に示すように、上記電動リール１ａの受電部２１にはこの電動リール１ａが釣竿３０の握り部３０１に取り付けられた状態で垂直かつ下方に向けて開口した金属製の口金部２２が設けられている。この受電部２１はその口金部２２の部分を含み、防水構造のものであり、これら受電部２１及び口金部２２の部分から電動リール１ａ内に水等の流体が浸入することが防止されている。口金部２２の内側には例えば一対のピン形の凸状接続端子２４が突設けられ、この凸状接続端子２４は上記魚釣用バッテリ２ａにおける給電部２０の一対の凹状接続端子１５１に接続形式が適合するように設けられている。このため、図２に示すように、口金部２２に給電用コネクタ部材１５を差し込むと、凹状接続端子１５１に凸状接続端子２４が差し込み嵌合して導通する接続状態になる。
【００２３】
図１に示すように、上記電動リール１ａの受電部２１における口金部２２には下方に向けて突き出した下端縁が形成されている。この下端縁外周には上記魚釣用バッテリ２ａのナット部材１９の螺子部１９５が螺合可能である螺子部２２１が形成されている。上記ナット部材１９の螺子部１９５を口金部２２の螺子部２２１に螺合して締め付けることにより、電動リール１ａの口金部２２に対して魚釣用バッテリ２ａ及び給電用コネクタ部材１５をしっかりと保持することができる。したがって、この保持手段によれば、電動リール１ａに魚釣用バッテリ２ａを装着したとき、この魚釣用バッテリ２ａが電動リール１ａから簡単に外れない。
【００２４】
また、操作部１９２により回転操作して口金部２２の螺子部２３に螺合してナット部材１９を締め付けると、給電用コネクタ部材１５が上記電動リール１ａの受電部２１に装着された状態で、ナット部材１９の内周突縁部１９１が給電用コネクタ部材１５の突起係合部１５２に内側から突き当たって係止し、給電用コネクタ部材１５を直接に保持するために、給電用コネクタ部材１５を確実に安定して保持し、電動リール１ａから魚釣用バッテリ２ａの離脱を防止する。ここで、ケース本体１０はナット部材１９を介して電動リール１ａに保持されるとともに、該ナット部材１９を介して電動リール１ａに吊着される如く取り付けられる。また、この状態で、給電用コネクタ部材１５はナット部材１９や上記蓋部１２の筒状部１２３により保護される。
【００２５】
一方、上記電動リール１ａには、図示しないスプール、スプール駆動モータ及びマイクロコンピュータ等で構成される制御部が内装されている。受電部２１に電力が給電されると、スプール駆動モータ等を駆動させることができるとともに、上記制御部が上記スプール駆動モータを駆動制御して上記スプールの回転速度等を制御し、釣糸の巻取り動作を制御する。
【００２６】
図１に示すように、上記電動リール１ａの受電部２１における口金部２２の基部外周部には例えば電気的絶縁性を有する樹脂材料で形成された弾性腕部２６の一端が取り付けられている。この弾性腕部２６の他端には上記受電部２１を覆い、その受電部２１の凸状接続端子２４を覆うことができる電気的絶縁性の保護キャップ２７が取り付けられている。そして、電動リール１ａの受電部２１から魚釣用バッテリ２ａを離脱した状態のとき、上記給電用コネクタ部材１５に保護キャップ２７を被せる。これにより、例えば携帯時等において露出された受電部２１の凸状接続端子２４の周囲部との電気的接続を防止できる。
【００２７】
そして、上記魚釣用バッテリ２ａの給電部２０の形式が上記電動リール１ａの受電部２１の形式に適合する正規の関係にあるときは、図２に示すように、上記電動リール１ａの受電部２１に対して直接に上記魚釣用バッテリ２ａの給電部２０を接続して上記魚釣用バッテリ２ａを使用することができる。
【００２８】
しかし、上記魚釣用バッテリ２ａの給電部２０の形式が上記電動リール１ａの受電部２１の形式に適合しない、位置、数、太さなどがいわゆる対応関係がないときは、上記電動リール１ａに上記魚釣用バッテリ２ａを直接に接続して使用することができない。例えば、図３乃至図５に示すように、受電部２１の接続形式が異なる電動リール１ｂの場合には上記魚釣用バッテリ２ａを直接に接続することができない。
【００２９】
図３乃至図５に示す電動リール１ｂはその受電部２１が上記魚釣用バッテリ２ａの給電部２０の給電用コネクタ部材１５と同様な一対の凹状接続端子１５５を有する形式のものであり、このときは上記魚釣用バッテリ２ａの給電部２０には適合せず、魚釣用バッテリ２ａを接続できない。
【００３０】
このような別形式の電動リール１ｂに上記魚釣用バッテリ２ａを使用する場合には、図３乃至図５に示すような接続用アダプタとしての接続コネクタ４０を用いて上記魚釣用バッテリ２ａを電動リール１ｂに接続する。
【００３１】
次に、その接続コネクタ４０について説明する。図５に示すように、接続コネクタ４０は、非導電性の合成樹脂からなる円柱状のコネクタ本体４２と、このコネクタ本体４２に埋設された状態で挿通され、コネクタ本体４２で保持された端子（凸状接続端子２４，４４）を有し、この端子は、コネクタ本体４２に埋設された部分で固定され、折れ曲りが規制されている。また、接続コネクタ４０は、筒状体によって形成し、金属等コネクタ本体よりも硬い材料で形成されたコネクタカバー（筒状部材）４１を有し、このコネクタカバー４１の内部には、その一端側が差し込まれて固定され、コネクタカバー４１と共にバッテリ支持用コネクタ装置の基体となるコネクタ本体４２が設けられている。コネクタカバー４１及びコネクタ本体４２の下端部分には上記魚釣用電動リール１ａの受電部２１と同様な形式の一対の凸状接続端子２４を備えた凹状の形式のコネクタ受け部４３が形成されている。コネクタカバー４１の下端部外周には上記電動リール１ａの受電部２１における口金部２２の螺子部２２１と形式を合わせた取り付け手段の螺子部２２１ａが形成されている。この螺子部２２１ａは上記魚釣用バッテリ２ａのナット部材１９の螺子部１９５に螺合によって係止可能である。したがって、コネクタ受け部４３は上記電動リール１ａの受電部２１と同様な形式のものとなり、コネクタ受け部４３には上記魚釣用バッテリ２ａの給電部２０が接続可能である。
【００３２】
また、コネクタカバー４１は、その螺子部２２１ａを上記魚釣用バッテリ２ａのナット部材１９の螺子部１９５に螺合してコネクタ本体４２を上記魚釣用バッテリ２ａに取り付ける着脱自在な手段を有している。そして、この取り付け手段は、上記魚釣用電動リール１ａに上記魚釣用バッテリ２ａを支持するとともに、コネクタ受け部４３の一対の凸状接続端子２４が上記魚釣用バッテリ２ａの給電部２０の凹状端子１５１に嵌合して直接に接触して接続し、通電可能な状態を維持する。
【００３３】
コネクタカバー４１やコネクタ本体４２は、従来のコードのように折れ曲ることがなく、電動リール１ｂに魚釣用バッテリ２ａが取り付けられた状態が維持されるような大きな曲げ剛性を有し、電動リール１ｂに安定して取り付いて安定した給電ができるようになっている。
【００３４】
また、図５に示すように、コネクタカバー４１及びコネクタ本体４３の上端部には上記別形式の電動リール１ｂにおける受電部２１の凹状接続端子１５５の形式に適合する一対の凸状接続端子４４を有する凹状のコネクタ接続部４５が設けられている。コネクタ本体４２の上端部には上記電動リール１ｂにおける受電部２１の口金部２２の螺子部２２１に螺合するナット部材４６が装着されている。ナット部材４６はコネクタ本体４２の軸周り（周方向）に回転自在に装着され、かつコネクタ本体４２の上端外周に設けられた突起係合部４７に対して下から突き当たって係止する突縁部４８が設けられていて、これによりナット部材４６がコネクタ本体４２のコネクタ接続部分４５側から抜け出ないようになっている。また、ナット部材４６の下端側はコネクタ本体４２に取り付けたコネクタカバー４１の端部（上端部）に当たることで、コネクタ受け部４３側からの抜け止めがなされている。ナット部材４６には鍔状の操作部４９が設けられている。
【００３５】
ナット部材４６には電動リール１ｂにおける受電部２１の口金部２２の螺子部２２１と形式を合わせた螺子部１９５ａが形成されていて取り付け手段となっており、この螺子部１９５ａを上記電動リール１ａにおける口金部２２の螺子部２２１に螺合して装着できる規格に形成している。そして、上記電動リール１ａにおける口金部２２にナット部材４６を螺合することにより、コネクタ接続部４５の一対の凸状接続端子４４を電動リール１ｂにおける受電部２１の一対の凹状接続端子１５５に接続した状態で上記電動リール１ｂに接続コネクタ４０を係止して装着する取り付け手段を構成している。コネクタ本体４２は、凸状接続端子２４，４４がぐらつかないように支持しているが、コネクタカバー４１がその周囲に嵌合することでコネクタ本体４２の撓みがより規制され、バッテリ２ａを電動リール１ｂにぐらつきを防止して装着できる。なお、凸状接続端子２４，４４は一体に形成されており、その中間部がコネクタ本体４２に支持され、その両端がコネクタ本体４２の対向する上方と下方に露呈している。
【００３６】
そこで、上記魚釣用バッテリ２ａを図３乃至図５に示す別形式の電動リール１ｂに使用しようとする場合、上述したような接続用アダプタとしての接続コネクタ４０を用いれば、上記魚釣用バッテリ２ａを、別形式の電動リール１ｂに接続することができる。
【００３７】
この場合、接続コネクタ４０を魚釣用バッテリ２ａの給電部２０に装着した後、その接続コネクタ４０を電動リール１ｂの受電部２１に接続しても、または、接続コネクタ４０を電動リール１ｂの受電部２１に接続した後、その接続コネクタ４０を魚釣用バッテリ２ａに装着するようにしてもよい。この取り付ける手順は電動リール１ｂと魚釣用バッテリ２ａの使用状況に応じて簡便な方を選ぶ。
【００３８】
したがって、接続コネクタ４０を使用すれば、電動リールの受電部と魚釣用バッテリの給電部の形式や規格が合致しなくても、その電動リールと魚釣用バッテリを接続して使用可能である。また、図１及び図２で示す電動リール１ａに魚釣用バッテリ２ａを使用したい場合には接続用アダプタとしての接続コネクタ４０を取り外して魚釣用バッテリ２ａを電動リール１ａに直接に接続するようにする。
【００３９】
接続コネクタ４０を介して魚釣用バッテリ２ａを電動リール１ｂに取り付けると、魚釣用バッテリ２ａを電動リール１ｂから離すことができて電動リール１ｂの握持や操作がしやすく、接続コネクタ４０は魚釣用バッテリ２ａよりも細径に形成され、電動リール１ｂの握持を邪魔しないようになっている。
【００４０】
以上の如く、接続用アダプタとしての接続コネクタ４０を用意することにより、魚釣用バッテリと電動リールとの関係で釣り具の使用が制限されず、種々の電動リールまたは魚釣用バッテリを選んで最適かつ多様な釣りが容易である。したがって、比較的少ない種類の電動リールまたは魚釣用バッテリを有効に生かして使用できる。また、多くの釣り具が不要であるので、釣り具の管理が容易である。さらに、比較的少ない種類の釣り具を用意しておけばよいので、釣り人にとっても釣り具にかかる費用が少なくて済む。
【００４１】
そして、電動リール１に対して魚釣用バッテリ２を直接的に取り付けて常に使用できるようになるので、通常の手動式魚釣リール１と略同様に制限されることなく、いわゆる手持ち感覚での上下誘い操作や巻取り操作等で電動リール１と一体的に取扱い操作することができる。釣り人は所望の魚釣操作を快適に行うことができる。また、釣り途中において、魚釣用バッテリ２の電気エネルギが消耗した場合には上記装着動作と略逆の操作を行って電動リール１から魚釣用バッテリ２を取り外し、その後、予め用意して置いた充電済みの新たなものと交換して使用することができ、形式の異なる魚釣用バッテリ２の場合は接続コネクタ４０を利用し、または取り外して新たな魚釣用バッテリ２を装着し、長時間にわたる電動リール１の継続的な使用が可能である。
【００４２】
また、魚釣用バッテリ２と電動リール１の接続部の形式が適合しない場合でも、魚釣用リール１の受電部２１にバッテリ２の給電部２０を接続した給電可能な状態で、バッテリ２を魚釣用リール１に組み付けて支持することにより、魚釣用リール１に対してバッテリ２を支持できる。これにより、バッテリ２を魚釣用リール１への確実な電気的接続を確保した上で、魚釣用電動リール１に対してバッテリ２を堅牢に組み付けて保持することが可能となる。従って、厳しい釣環境においても、簡便にして容易な着脱操作が実現され、しかも、比較的、乱暴な竿操作にも耐えることが可能となる。
【００４３】
次に、図６及び図７を参照して、受電部２１の形式がさらに別の電動リール１ｃに上記同様の魚釣用バッテリ２ａを使用する場合に用いる形態の接続コネクタ５０について説明する。
【００４４】
図７に示すように、電動リール１ｃの受電部２１はその口金部２２の内側領域に、細目のピン形の一対の凸状接続端子６１と、情報等を伝達する多数の信号伝達用端子６２を併設した形式である。一対の凸状接続端子６１は、電動リール１ｃのスプールを駆動するモータに電力を供給する端子であり、上述した電動リール１ａ，１ｂの場合の凸状接続端子２４と凹状接続端子１５５と同様の機能をもつ。信号伝達用端子６２はスプールを駆動する以外の用途、例えば、船に備えられた魚影探知機からの信号を電動リール１ｃに受け取る場合に用いられる。この電動リール１ｃの受電部２１における口金部２２には上述した電動リール１ａ，１ｂの場合と同様の螺子部２２１が設けられ、この螺子部２２１により後述する接続コネクタ５０を接続できる。
【００４５】
上記接続コネクタ５０は上述した接続コネクタ４０と同様、筒状体によって形成したコネクタカバー５１を有しており、このコネクタカバー５１内にはそのコネクタカバー５１とともに基体となるコネクタ本体５２が固定的に設けられている。
【００４６】
上記コネクタカバー５１の下端部分には上記電動リール１ａの受電部２１の形式と同様、一対の凸状接続端子５３を備えた凹状の形式のコネクタ受け部５４が形成されている。このコネクタ受け部５４の一対の凸状接続端子５３は上記魚釣用バッテリ２ａにおける給電部２０の一対の凹状端子１５１に嵌合してそれに直接に接続できるように構成される。一対の凸状接続端子５３はいずれもピン状の部材によって形成され、その基端部はコネクタ本体５２に取り付けられている。
【００４７】
また、コネクタカバー５１の下端部外周には例えば上記電動リール１ａの受電部２１における口金部２２の螺子部２２１と形式が一致する螺子部２２１ａが形成され、この螺子部２２１ａには上記魚釣用バッテリ２ａにおける給電部２０のナット部材１９の螺子部１９５が螺合可能な形式の規格となっている。これにより上記魚釣用バッテリ２ａに接続コネクタ５０を取り付ける手段を構成する。また、コネクタ受け部５４は上記電動リール１ａの受電部２１と同様な形式となり、上記魚釣用バッテリ２ａの給電部２０を接続可能である。
【００４８】
この接続コネクタ５０におけるコネクタカバー５１及びコネクタ本体５２の上端部には上記別形式の電動リール１ｃの受電部２１における口金部２２の凸状接続端子６１に適合し、信号伝達用端子６２からは逃げるように、これらが収容される凹状空洞部６２１を有したコネクタ接続部５５となっている。つまり、凸状接続端子６１が差し込まれて接続する凹状端子６１１と、通電不要な信号伝達用端子６２が差し込まれて遊ぶ凹状空洞部６２１とが設けられている。凹状空洞部６２１は電気的接続用端子ではなく、電気的機能のない単なる空洞であり、接続コネクタ５０を上記電動リール１ｃの受電部２１に接続しても信号伝達用端子６２と接続コネクタ５０側との電気的接続は行われず、電気的接続が無視される。
【００４９】
図７に示すように、一対の凸状接続端子５３と一対の凹状端子６１１は基体としてのコネクタ本体５２内において互いに対応するもの同士が互いに接触して係合し接続する。凹状端子６１１は筒状の導電性部材によって形成され、凸状接続端子５３の基端部はその凹状端子６１１内に差し込まれ、この係合した接続部分が基体としてのコネクタ本体５２内に埋設されて固定されている。なお、凸状接続端子５３と凹状端子６１１はコネクタ本体５２に埋設されて係合が維持されているが、両者を溶接等で接続してもよい。
【００５０】
さらに、図７に示すように、接続コネクタ５０におけるコネクタ本体５２の上端部には上記電動リール１ｃにおける受電部２１の口金部２２の螺子部２２１に螺合するナット部材５６がコネクタ本体５２の軸周りに回転自在に装着されている。コネクタ本体５２の中間部外周には突起係合部５７が設けられ、この突起係合部５７にナット部材５６の内端に形成した突縁部５８が下側から突き当たって係止し、また、ナット部材５６の下端はコネクタカバー５１に当接することにより、ナット部材５６はコネクタ本体５２から抜け出さないように接続コネクタ５０に取り付けられている。ナット部材５６の外周には鍔状の操作部５９が設けられている。また、ナット部材５６には電動リール１ｃにおける受電部２１の口金部２２の螺子部２２１と形式を合わせた螺子部１９５ａが形成されていて、上記ナット部材５６の螺子部１９５ａを上記電動リール１ｃにおける口金部２２の螺子部２２１に螺合して装着できる。これにより、電動リール１ｃに接続コネクタ５０を取り付ける手段を構成する。
【００５１】
上記接続コネクタ５０の下端に位置するコネクタ受け部５４は上記魚釣用バッテリ２ａの給電部２０に接続できるとともに、上記接続コネクタ４０の上端に位置するコネクタ接続部５５は上記別形式の電動リール１ｃにおける受電部２１に接続できる。
【００５２】
上記魚釣用バッテリ２ａを受電部２１の形式が異なる上記電動リール１ｃに使用する場合、その電動リール１ｃに魚釣用バッテリ２ａを直接に接続して使用することができないが、上述した接続コネクタ５０を用いれば、電動リール１ｃに魚釣用バッテリ２ａを装着できる。すなわち、魚釣用バッテリ２ａの給電部２０に接続コネクタ５０を装着し、あるいは電動リール１ｃの受電部２１に接続コネクタ５０を装着した後、他方のものに接続コネクタ５０を接続する。これにより電動リール１ｃの受電部２１に魚釣用バッテリ２ａを接続できる。したがって、電動リール１ｃの受電部２１と魚釣用バッテリ２ａの給電部２０の形式や規格が合致しなくてもその電動リール１ｃと魚釣用バッテリ２ａを接続して使用することが可能である。
【００５３】
ただし、この接続コネクタ５０には信号伝達用端子６２との接続がなされないので、上記電動リール１ｃの受電部２１に接続コネクタ５０が接続したとしても信号伝達用端子６２との電気的接続は無視される。
【００５４】
次に、図８乃至図１０を参照して、上記同様の電動リール１ａと、給電部２０の形式が異なる別の魚釣用バッテリ２ｂを接続する場合に使用する形態の接続コネクタ７０について説明する。
【００５５】
図１０に示すように、魚釣用バッテリ２ｂの給電部２０はピン形の一対の凸状接続端子７１をケース本体１０の給電用コネクタ部材１５における筒状部１２３の内側に配置して形成したものである。この他のナット部材１９等の構成は上述した魚釣用バッテリ２ａの給電部２０の構成と同様なものである。
【００５６】
取り付け手段のナット部材１９を用いて使用する場合、電動リール１ａの受電部２１における口金部２２の螺子部２２１にナット部材１９を螺合して締め付けることにより、電動リール１ａの口金部２２に対して魚釣用バッテリ２ｂを支持できる。したがって、電動リール１ａに魚釣用バッテリ２ｂを装着したとき、この魚釣用バッテリ２ｂが電動リール１ａから簡単に外れない。
【００５７】
しかし、魚釣用バッテリ２ｂの給電部２０と電動リール１ａの受電部２１の接続端子が
いずれも凸状接続端子２４，７１の形式である。このため、直接に両者を電気的に接続することができず、その適合関係がないので、このままでは魚釣用バッテリ２ａを電動リール１ａに装着して給電できない。そこで、この形態では、図１０に示すようなアダプタとしての接続コネクタ７０を使用し、魚釣用バッテリ２ａを電動リール１ａに装着するようにする。
【００５８】
この接続コネクタ７０は、非導電性を有する合成樹脂によって形成した基体としてのコネクタ本体７３が形成されている。コネクタ本体７３は図９に示すように上記電動リール１ａの受電部２１に魚釣用バッテリ２ｂの給電部２０を接続したとき、上記電動リール１ａの受電部２１における口金部２２の内側と、魚釣用バッテリ２ｂの給電部２０における筒状部１２３の内側とのいづれの領域にも入り込んで着脱自在に装着して配置され得るようになっており、受電部２１と給電部２０に差し込むにあたって形状が合致する円筒形に形成されている。
【００５９】
コネクタ本体７３の上端部分には一対の凹状接続端子７５を有する凹状のコネクタ接続部７６が形成されている。このコネクタ接続部７６の凹状接続端子７５は上記電動リール１ａの受電部２１における口金部２２の一対の凸状接続端子２４に適合し、その一対の凹状接続端子７５に凸状接続端子２４が嵌まり込んで接続される。また、コネクタ本体７３の下端部分には一対の凹状接続端子７７を有する凹状のコネクタ接続部７８が形成されている。このコネクタ接続部７８の凹状接続端子７７は上記魚釣用バッテリ２ｂの給電部２０における一対の凸状接続端子７１に適合し、その一対の凸状接続端子７１が嵌まり込んで接続される。
【００６０】
そして、一対の凹状接続端子７５と一対の凹状接続端子７７との互いに対応する部材同士はそれぞれ連なる一本の金属製パイプ部材７９によってそれぞれ一体に形成され、接続コネクタ７０の途中で別部材を接続する関係にない。したがって、一対の凹状接続端子７５と一対の凹状接続端子７７の電気的接続が確保できるとともに、接続コネクタ７０をコンパクトに構成できる。
【００６１】
一方、上記魚釣用バッテリ２ｂのナット部材１９は電動リール１ａの口金部２２にねじ込んで着脱自在に係着し得るようになっている。つまり、このナット部材１９により電動リール１ａに魚釣用バッテリ２ｂを取り付ける手段を構成している。
【００６２】
上記魚釣用バッテリ２ｂの給電部２０と電動リール１ａの受電部２１を接続する際、図９に示すように、その接続コネクタ７０を受電部２０と給電部２１の間に介在させれば、上記電動リール１ａの受電部２１と魚釣用バッテリ２ｂの給電部２０とを電気的に接続することができる。したがって、簡便な使用が可能である。なお、接続コネクタ７０を装着する際、上記魚釣用バッテリ２ｂの給電部２０に先に取り付けておいても電動リール１ｂの受電部２１に先に取り付けておいてもよく、取付け手順に制限はない。
【００６３】
また、上記魚釣用バッテリ２ｂのナット部材１９を電動リール１ａの口金部２２にねじ込んで、そのナット部材１９により電動リール１ａに魚釣用バッテリ２ｂを直接に取り付けるので、接続コネクタ７０は、コネクタ本体７３が電動リール１ａの受電部２１や魚釣用バッテリ２ｂの給電部２０に差し込み可能であること、また、両者に差し込むと内部に収納されること、コネクタ本体７３が差し込まれることで受電部２１、給電部２０に保持されるので、電動リール１ａや魚釣用バッテリ２ｂから脱落を防止するための取り付け手段を有しないために、電動リール１ａに魚釣用バッテリ２ｂを取り付ける支持部がコンパクトになる。接続コネクタ７０がその取り付ける支持部内に収納され、外から見えないシンプルでコンパクトな構造の接続コネクタ装置を構築できる。
【００６４】
図１１は更に他の実施の形態を示すものである。魚釣用バッテリ２ｃはその給電部２０の形式が上記魚釣用バッテリ２ａと同様のものであり、電動リール１ｄはその受電部２１の形式が上記電動リール１ｂと同様のものであり、この形式の両者に使用できる接続コネクタ８０の例である。
【００６５】
これは、魚釣用バッテリ２ｃの給電部２０には一対の凹状接続端子１５１を有したコネクタ部材１５を保持する筒状部９１の上端部外周に螺子部９２を形成してなり、その他は魚釣用バッテリ２ａの給電部２０と同様な構造である。また、電動リール１ｄの受電部２１の構造は上記電動リール１ｂの受電部２１の構造と同じく一対の凹状接続端子１５５を有したものであり、その他の口金部２２や螺子部２２１等も同様に構成されている。したがって、電動リール１ｄには魚釣用バッテリ２ｃを直接に装着して使用することができない。
【００６６】
そこで、この形態では、図１１に示すようなアダプタとしての接続コネクタ８０を使用する。この接続コネクタ８０は、筒状体によって形成したコネクタカバー８１と、このコネクタカバー８１内に固定的に設置したコネクタ本体８２によってコネクタ基体を形成している。コネクタ本体８２における上端部分には上記魚釣用電動リール１ｄの受電部２１に接続可能な形式の一対の凸状接続端子８４を備えた凹状の形式のコネクタ受け部８５が形成されている。コネクタ本体８２における下端部外周には上記魚釣用バッテリ２ｃの給電部２０に接続可能な一対の凸状接続端子８６を備えた凹状の形式の形式のコネクタ受け部８７が形成されている。
【００６７】
上側のコネクタ受け部８５の一対の凸状接続端子８４と下側のコネクタ受け部８７の一対の凸状接続端子８６とはその対応するものが一本の導電性ピン部材によって形成され、その導電性ピン部材がコネクタ本体８２を貫通するとともに、ピン部材の中間部がコネクタ本体８２に埋め込み固定されている。
【００６８】
また、コネクタ本体８２の外周に差し込んで取り付けたコネクタカバー８１の下端部外周にはバッテリ側取り付け手段としてのナット部材９８が回転自在に装着され、かつナット部材９８の上端縁にはコネクタカバー８１の下端外周に設けられた突起係合部８１１に対して上から突き当たって係止する突縁部９８１が設けられていて、これによりナット部材９８がコネクタカバー８１から抜け出ないようになっている。また、ナット部材９８は上記魚釣用バッテリ２ｃの給電部２０における筒状部９１の螺子部９２に螺合して取り付けられるようになっている。
【００６９】
上端部にはリール側取り付け手段としてのナット部材８８が回転自在に装着され、かつナット部材８８の下端縁にはコネクタ本体８２の上端外周に設けられた突起係合部８２１に対して下から突き当たって係止する突縁部８８１が設けられていて、これによりナット部材８８がコネクタ本体８２から抜け出ないようになっている。また、この取り付け手段としてのナット部材８８は上記魚釣用バッテリ２ｃの給電部２０における筒状部９１の螺子部９２に螺合して取り付けられ、支持するようになっている。
【００７０】
したがって、電動リール１ｄには魚釣用バッテリ２ｃを直接に装着して使用することができないが、アダプタとしての接続コネクタ８０を用いることにより、魚釣用バッテリ２ｃを電動リール１ｄに装着すれば、給電できるようになる。
【００７１】
なお、上記実施の形態では、給電した電力を用いて電動リール１のスプール駆動モータを駆動制御する場合を中心に説明したが、これに限ることなく、その他、電動リール内に内装される給電を必要とする全ての給電部品に対して給電することが可能である。
【００７２】
さらに、上記各実施の形態では、電動リールの電源として使用した場合について説明したが、これに限ることなく、その他、糸長計測装置等の給電を必要とする給電部品の電源として使用することも可能である。
【００７３】
また、上記各実施の形態で説明した釣り用電動リールへの取り付け手段とバッテリへの取り付け手段は、ナット部材や螺子部を利用して係合する構成であったが、その方式に限定されるものではない。その他の取り付け手段を用いるものでもよい。たとえば、フックを用いる方式またはバヨネット方式で被装着部に対して着脱自在に取り付けるようにしたものでもよい。上記実施形態での筒状部材とナット部材を設ける上下位置関係はその逆でもよく、それに応じて釣り用電動リールへの取り付け手段とバッテリへの取り付け手段を構成してよい。
【００７４】
また、本発明は、上記実施の形態の個々の形態に限ることなく、上記実施の形態に含まれるものを組み合わせて種々の発明が抽出され得るものであり、その他、その要旨を逸脱しない範囲で種々の変形を実施し得ることが可能である。
【図面の簡単な説明】
【００７５】
【図１】一つの実施の形態に係る魚釣用バッテリ装置と魚釣用電動リールを分離した状態で一部を断面して示す説明図である。
【図２】同じくその実施の形態に係る魚釣用バッテリ装置を魚釣用電動リールに装着した状態で一部を断面して示す説明図である。
【図３】同じくその実施の形態に係る魚釣用バッテリ装置を他の形式の魚釣用電動リールに装着して使用する場合において使用する接続コネクタの例を説明するためのものであって、（ａ）は魚釣用電動リールの一部を断面して示す側面図、（ｂ）は魚釣用バッテリ装置と接続コネクタを分離した状態で一部を断面して示す説明図、（ｃ）は魚釣用バッテリ装置と接続コネクタを接続した状態で一部を断面して示す説明図である。
【図４】図３に示した接続コネクタを用いて魚釣用バッテリ装置と魚釣用電動リールを接続した状態を一部断面して示す側面図である。
【図５】図３に示した接続コネクタと、これを用いる魚釣用バッテリ装置の給電部と、魚釣用電動リールの受電部の分離した状態で拡大して示す断面図である。
【図６】（ａ）は他の実施の形態に係る接続コネクタを魚釣用バッテリ装置の給電部に接続した状態の一部断面して示す側面図、（ｂ）はその接続コネクタを魚釣用バッテリ装置の給電部から分離した状態の一部断面して示す側面図である。
【図７】同じく図６に示した他の実施の形態に係る接続コネクタと、これを用いる魚釣用バッテリ装置の給電部と、魚釣用電動リールの受電部の分離した状態で拡大して示す断面図である。
【図８】（ａ）は更に他の実施の形態に係る魚釣用電動リールと、接続コネクタを魚釣用バッテリ装置の給電部に接続した状態の一部断面して示す側面図、（ｂ）はその接続コネクタを魚釣用バッテリ装置の給電部から分離した状態の一部断面して示す側面図である。
【図９】図８に示した接続コネクタを用いて魚釣用電動リールと魚釣用バッテリ装置を接続した状態の一部断面して示す側面図である。
【図１０】図８に示した接続コネクタと、これを用いる魚釣用バッテリ装置の給電部と、魚釣用電動リールの受電部の分離した状態で拡大して示す断面図である。
【図１１】更に異なる他の実施の形態に係る接続コネクタと、これを用いる魚釣用バッテリ装置の給電部と、魚釣用電動リールの受電部の分離した状態で拡大して示す断面図である。
【符号の説明】
【００７６】
１（１ａ，１ｂ，１ｃ，１ｄ）…魚釣用電動リール、２（２ａ，２ｂ，２ｃ）…魚釣用バッテリ、１０…ケース本体、１１…収容部、１２…蓋部、１３…電池本体、１４…充放電用制御部、１５…コネクタ部材、２０…給電部、２１…受電部、２２…口金部、２３…螺子部、２４…凸状接続端子、４０…接続コネクタ、４１…コネクタカバー、４２…コネクタ本体、４３…コネクタ本体、４４…凸状接続端子、４５…コネクタ接続部、４６…ナット部材、４７…突起係合部、４８…突縁部。
【図１】
2007135517.tif 000003
【図２】
2007135517.tif 000004
【図３】
2007135517.tif 000005
【図４】
2007135517.tif 000006
【図５】
2007135517.tif 000007
【図６】
2007135517.tif 000008
【図７】
2007135517.tif 000009
【図８】
2007135517.tif 000010
【図９】
2007135517.tif 000011
【図１０】
2007135517.tif 000012
【図１１】
2007135517.tif 000013